(57)【要約】【課題】非接触ＩＣカードの表面に本人写真及び氏名を含むＩＤ情報その他の視認情報を印刷したシール要素を貼着することにより、管理区域への進入許否を電子的又は機械的に識別するセキュリティー鍵と、所持者の本人確認をおこなう目視認識標としての認証機能を兼有する。【解決手段】非接触ＩＣカード３の表面の少なくとも３分の１以上の領域にシール要素１を貼着する。シール要素１は、透光性樹脂フィルム11の貼付側片面（逆面）に、視認情報を逆像印刷した標識層12と、カード３の表面に対して剥離可能で貼着可能な粘着層12を積層又は重合したものであり、カード３の表面に定着かつ一体化する。標識層12は、社員証、会員証、入館証、通行証その他の身分証、許可証又は認定証としての画像を含む記事内容（視認情報）をコンピュータにより生成し印刷出力したものである。粘着層13は両面粘着シート素材131 からなるものとする。【選択図】      図１
2005301529.tif 000002
【特許請求の範囲】
【請求項１】
情報記録機能を具備したカードの表面に、あらかじめ絵柄等情報が印刷されたシール要素を貼り合わせてなる情報記録媒体において、
前記シール要素を介して少なくとも本人写真及び氏名を含むＩＤ情報（本人識別情報）その他の視認情報を表示するようにした情報記録媒体であって、
前記シール要素が、透光性樹脂フィルムの貼付側片面に、前記視認情報を逆像印刷した標識層と、前記カード表面又は表面受容層に対して剥離可能で貼着可能な粘着層を積層又は重合してなることを特徴とする情報記録媒体。
【請求項２】
情報記録機能を具備したカードの表面に、あらかじめ絵柄等情報が印刷されたシール要素を貼り合わせてなる情報記録媒体において、
前記シール要素を介して少なくとも本人写真及び氏名を含むＩＤ情報（本人識別情報）その他の視認情報を表示し、使用上、管理区域への進入許否を電子的又は機械的に識別するセキュリティー鍵と、所持者の本人確認をおこなう目視認識標としての認証機能を有するようにした情報記録媒体であって、
前記シール要素が、透光性樹脂フィルムの貼付側片面に、前記視認情報を逆像印刷した標識層と、前記カードの表面又は表面受容層に対して剥離可能で貼着可能な粘着層を積層又は重合してなるとともに、前記カード表面又は表面受容層に定着かつ一体化してなることを特徴とする情報記録媒体。
【請求項３】
カードが非接触ＩＣカードであって、その表面又は表面受容層上の少なくとも３分の１以上の領域にシール要素を貼着したものであり、
標識層が社員証、会員証、入館証、通行証その他の身分証、許可証又は認定証としての画像を含む記事内容をコンピュータにより生成し印刷出力したものであり、
粘着層が両面粘着シート素材からなるものである
請求項１又は２記載の情報記録媒体。
【請求項４】
情報記録機能を具備したカードの表面に、あらかじめ絵柄等情報が印刷されたシール要素を貼り合わせてなる情報記録媒体の製造方法において、
前記シール要素を介して少なくとも本人写真及び氏名を含むＩＤ情報（本人識別情報）その他の視認情報を表示し、使用上、管理区域への進入許否を電子的又は機械的に識別するセキュリティー鍵と、所持者の本人確認をおこなう目視認識標としての認証機能を有するようにした情報記録媒体の製造方法であって、
前記シール要素の貼付側片面（逆面）に、前記視認情報を逆像で印刷して標識層を形成する逆面逆像印刷工程と、
前記標識層上に、前記カードの表面又は表面受容層に対して剥離可能で貼着可能な粘着層を積層形成する粘着層重合工程と、
前記カード表面又は表面受容層上の少なくとも３分の１以上の領域に前記シール要素を貼着して一体化するシール定着工程
を包含することを特徴とする情報記録媒体の製造方法。
【請求項５】
情報記録機能を具備した非接触ＩＣカードの表面に、あらかじめ絵柄等情報が印刷されたシール要素を貼り合わせてなる情報記録媒体の製造方法において、
前記シール要素を介して少なくとも本人写真及び氏名を含むＩＤ情報（本人識別情報）その他の視認情報を表示し、使用上、管理区域への進入許否を電子的又は機械的に識別するセキュリティー鍵と、所持者の本人確認をおこなう目視認識標としての認証機能を有するようにした情報記録媒体の製造方法であって、
前記シール要素の基材である透光性樹脂フィルムの貼付側片面（逆面）に、コンピュータにより生成され前記視認情報を構成する画像を含む記事内容を逆像で印刷出力して標識層を形成する逆面逆像印刷工程と、
前記標識層上に、前記カードの表面又は表面受容層に対して剥離可能で貼着可能な両面粘着シート素材からなる粘着層を積層形成する粘着層重合工程と、
前記非接触ＩＣカード表面又は表面受容層上の少なくとも３分の１以上の領域に前記シール要素を貼着して一体化するシール定着工程
を包含することを特徴とする情報記録媒体の製造方法。
【発明の詳細な説明】
【技術分野】
【０００１】
本発明は、情報記録機能を具備したカードの表面に、あらかじめ絵柄等情報が印刷されたシール要素を貼り合わせてなる情報記録媒体に係り、詳しくは、非接触ＩＣカードの表面又は表面受容層上に前記シール要素を介して少なくとも本人写真を含むＩＤ情報（本人識別情報）その他の視認情報を表示し、使用上、管理区域への進入許否を電子的又は機械的に識別するセキュリティー鍵と、所持者の本人確認をおこなう目視認識標としての認証機能を有するようにした情報記録媒体及びその製造方法に関する。ここで、表面は一次的な（無垢の）表面、表面受容層は一次的な表面に何らかの表面処理が施された後の二次的な表面をいうものとする。
【背景技術】
【０００２】
従来より、無装飾（無垢）の非接触ＩＣカード（所謂、ホワイトカード。）の本体表面に絵柄、文字、写真、色彩その他の表示情報を直接的に印刷したものがあった。
【０００３】
近年、社員証、会員証、入館証、通行証その他の身分証、許可証又は認定証等を利用先とする非接触ＩＣカードの普及が急伸しており、ここでも表示情報をカード表面に直接印刷する方式がとられてきた。
【０００４】
しかしながら、直接印刷では、使用により表示情報が汚れや擦り切れのために劣変する（不鮮明となる）という問題があった。また、再利用できないという問題もあった。
【０００５】
印刷技術の面では、カード本体にが内蔵されたＩＣチップの表面部分にわずかな凹凸が生じているため印刷が困難であり、また損傷を来す場合があった。したがって、この部分を印刷不可領域とするがか一般的である。
【０００６】
また、少量多品種の印刷という点ではコスト面で不向きであり、印刷ミスはカードの無駄につながるという欠点もあった。
【０００７】
こうしたなかで、絵柄等情報が印刷されたシール類を貼り合わせて表示情報の自由度を高め、要求に即応しようとする提案があった（例えば、特許文献１を参照１）。
【特許文献１】特開２００１−３１５７２７号公報
【発明の開示】
【発明が解決しようとする課題】
【０００８】
しかしながら、上記公知技術では、シール類の作成に関し、劣変防止や再利用の問題を目的効果としていないことから、表面への正像印刷と推認される。したがって、効果として認められるのは、少量多品種に対応可能な表示情報の任意性（自由度）の向上であると考えられる。
【０００９】
ここで、解決しようとする問題点は、主に直接印刷（シール表面への正像印刷を含む）による劣変防止と貼り替えによるカード本体の再利用を可能とする点にある。二次的には、ＩＣチップの保護を含む耐久性の向上やカード登録番号を含む登録データの欠番を解消する点にある。しかも、カード表面へ全面貼着を可能とする。
【００１０】
本発明はこのような事情に鑑みなされたものであって、表示情報（本発明に関し視認情報。）をシール要素に逆面逆像印刷することにより、上記課題を解消し、使用上、管理区域への進入許否を電子的又は機械的に識別するセキュリティー鍵と、所持者の本人確認をおこなう目視認識標としての認証機能を有するようにした情報記録媒体及びその製造方法を提供するものである。
【課題を解決するための手段】
【００１１】
課題を解決するために本発明は、情報記録機能を具備したカードの表面に、あらかじめ絵柄等情報が印刷されたシール要素を貼り合わせてなる情報記録媒体において、
前記シール要素を介して少なくとも本人写真及び氏名を含むＩＤ情報（本人識別情報）その他の視認情報を表示するようにした情報記録媒体であって、
前記シール要素が、透光性樹脂フィルムの貼付側片面に、前記視認識情報を逆像印刷した標識層と、前記カードの表面又は表面受容層に対して剥離可能で貼着可能な粘着層を積層又は重合してなることを特徴とするものである。
【００１２】
また、その製造方法であって、シール要素の基材の貼付側片面（逆面）に、視認情報を逆像で印刷して標識層を形成する逆面逆像印刷工程と、
前記標識層上に、カードの表面又は表面受容層に対して剥離可能で貼着可能な粘着層を積層形成する粘着層重合工程と、
前記カードの表面又は表面受容層上に前記シール要素を貼着して一体化するシール定着工程を包含することを特徴とするものである。
【発明の効果】
【００１３】
本発明によれば、以下に列挙する効果を奏する
【００１４】
（１）シール要素の貼り替えによりＩＣカードの再利用が可能である。
【００１５】
（２）ＩＣカードを再利用することにより、カード登録番号に欠番をつくる必要がなく、登録データの管理がし易くなる。
【００１６】
（３）カードに直接印刷しないのでＩＣチップ部や内蔵アンテナに干渉することがなく、カード全表面（最大範囲）について視認情報をレイアウト表示できる。しかも、印刷面を逆にしたことにより印刷画像の耐久性が向上する。
【００１７】
（４）シール要素のため、カード（表面）の材質に左右されず、コンピュータにより生成した情報やデザインを印刷出力することができ、少量多品種であっても部数にかかわらず低コストで短期製作できる。しかも、印刷ミスによるカードの無駄が回避できる。
【００１８】
（５）逆面印刷のため、汚れに強く使用や経年変化による劣変がない。しかも、コンピュータにより生成した情報やデザインを印刷出力することができ、従来的な直接印刷を背景とするような組み合わせや複層形成により意匠性を増補できるなどデザイン上の制約がなく、オリジナル・デザインの創出が図れる。
【００１９】
（６）至適には、社員証、会員証、入館証、通行証その他の身分証、許可証又は認定証等を利用先とすることができ、かつ、ユニークな証明力を付与できる。
【発明を実施するための最良の形態】
【００２０】
本発明の実施の最良形態について添付図面を参照して以下説明する。
【００２１】
図１はシール要素の断面視構造説明図である。
【００２２】
図２は情報記録媒体の表面構成及びその製造方法を示す説明図である。
【００２３】
図示するように、非接触ＩＣカードＸの表面又は受容層上の少なくとも３分の１以上の領域にシール要素１を貼着〔図示では全面貼着〕し、シール要素１を介して少なくとも本人写真及び氏名を含むＩＤ情報（本人識別情報）その他の視認情報を表示し、使用上、管理区域への進入許否を電子的又は機械的に識別するセキュリティー鍵と、所持者の本人確認をおこなう目視認識標としての認証機能を有するようにしている。
【００２４】
シール要素１は、透光性樹脂フィルム11の貼付側片面（逆面）に、視認情報を逆像印刷した標識層12と、カード３の表面に対して剥離可能で貼着可能な粘着層12を積層又は重合したものであり、カード３の表面（又は表面受容層上）に定着かつ一体化する。
【００２５】
標識層12は、社員証、会員証、入館証、通行証その他の身分証、許可証又は認定証としての画像を含む記事内容をコンピュータにより生成し印刷出力したものである。
【００２６】
粘着層13は両面粘着シート素材131 からなるものとするのが好ましい。
【００２７】
製造方法において、逆面逆像印刷工程Ａは、シール要素１の基材である透光性樹脂フィルム11の貼付側片面（逆面）に、コンピュータにより生成され視認情報を構成する画像を含む記事内容を逆像で印刷出力して標識層12を形成するものである。
【００２８】
粘着層重合工程Ｂは、標識層11上に、カード３の表面に対して剥離可能で貼着可能な両面粘着シート素材131 からなる粘着層13を積層形成するものである。
【００２９】
シール定着工程Ｃは、カード３の表面（又は表面受容層上）の少なくとも３分の１以上の領域〔図示では全面〕にシール要素１を貼着して一体化するものである。
【産業上の利用可能性】
【００３０】
本発明は、社員証、会員証、入館証、通行証その他の身分証、許可証又は認定証として、使用上、管理区域への進入許否を電子的又は機械的に識別するセキュリティー鍵と、所持者の本人確認をおこなう目視認識標としての認証機能を有するようにした情報記録媒体（非接触ＩＣカード）であり、劣変防止と貼り替えによるカード本体の再利用を可能とする点で有用である。また、少量多品種に即応可能で自由度の高い情報内容及びデザイン配置面を可能とし、しかも低コストで少量多品種に即応可能であり、広範な利用先への適用が期待できる。
【図面の簡単な説明】
【００３１】
【図１】シール要素の断面視構造説明図である。
【図２】情報記録媒体の表面構成及びその製造方法を示す説明図である。
【符号の説明】
【００３２】
１  シール要素
11  透光性樹脂フィルム
12  標識層（視認情報）
13  粘着層
131 両面粘着シート素材
３  ホワイトカード（本体）
Ａ  逆面逆像印刷工程
Ｂ  粘着層重合工程
Ｃ  シール定着工程
Ｘ  非接触ＩＣカード〔情報記録媒体〕
【図１】
2005301529.tif 000003
【図２】
2005301529.tif 000004